(57)【要約】【課題】心臓への負担を軽減し、快適性を向上させ、さらに使用者が、好みのモードを記憶させることのできる使い勝手の良い給湯機を提供すること。【解決手段】本発明の給湯機は、湯水を加熱する熱源と、熱源で加熱した温水の温度を検出する温度検出手段と、熱源から出湯する温度を調節する温度操作部と、時間を調節する時間操作部と、温度操作部で設定した温度と時間操作部で設定した時間とを記憶するモード記憶部と、熱源で加熱した温水を吐出する吐出部と、異なる温度の湯水を交互に出湯する運転動作を開始する温冷スイッチと、吐出部からの出湯を開始する出湯スイッチとを備え、吐出部からの出湯を開始し、温冷スイッチを操作することによって異なる温度の湯水を交互に出湯する際に、モード記憶部に記憶されている温度と時間に基づいて、吐出部から温水を出湯する。【選択図】図１
2011208898.tif 000002
【特許請求の範囲】
【請求項１】
湯水を加熱する熱源と、前記熱源で加熱した温水の温度を検出する温度検出手段と、前記熱源から出湯する温度を調節する温度操作部と、時間を調節する時間操作部と、温度操作部で設定した温度と時間操作部で設定した時間とを記憶するモード記憶部と、前記熱源で加熱した温水を吐出する吐出部と、異なる温度の湯水を交互に出湯する運転動作を開始する温冷スイッチと、前記吐出部からの出湯を開始する出湯スイッチとを備え、前記吐出部からの出湯を開始し、前記温冷スイッチを操作することによって異なる温度の湯水を交互に出湯する際に、前記モード記憶部に記憶されている温度と時間に基づいて、前記吐出部から温水を出湯することを特徴とする給湯機。
【請求項２】
モード記憶部は高温側の湯水の温度Ｔｘと、低温側の湯水の温度Ｔｙと、高温側の湯水の時間Ｌａと、低温側の湯水の時間Ｌｂとを記憶することができることを特徴とする請求項１に記載の給湯機。
【請求項３】
モード記憶部には、複数のパターンを記憶可能に構成され、それぞれのパターン毎に高温側の湯水の温度Ｔｘと、低温側の湯水の温度Ｔｙと、高温側の湯水の時間Ｌａと、低温側の湯水の時間Ｌｂとを記憶可能に構成したことを特徴とする請求項１または２に記載の給湯機。
【発明の詳細な説明】
【技術分野】
【０００１】
本発明は、給湯機に関連し、特に、熱源の出力制御に関する。
【背景技術】
【０００２】
従来の給湯機は、熱源で加熱した温水をシャワーヘッドなどの吐出部から出湯し、使用者はシャワー浴を楽しむことができるものがあった（例えば、特許文献１参照）。
【先行技術文献】
【特許文献】
【０００３】
【特許文献１】特開２００８−３０９４０７号公報
【発明の概要】
【発明が解決しようとする課題】
【０００４】
しかしながら、従来の給湯機では、ある一定の温度の湯をシャワーヘッドから出湯させるだけなので、温水の熱さで体が火照り、シャワー浴後には汗をかいてしまうため爽快さが不足してしまう場合があり、疲労感が残ってしまい快適性が損なわれてしまうという課題を有していた。
【０００５】
本発明は、前記従来の課題を解決するもので、心臓への負担を軽減し、快適性を向上させ、さらに使用者が、好みのモードを記憶させることのできる使い勝手の良い給湯機を提供することを目的とする。
【課題を解決するための手段】
【０００６】
前記従来の課題を解決するために、本発明の給湯機は、湯水を加熱する熱源と、熱源で加熱した温水の温度を検出する温度検出手段と、熱源から出湯する温度を調節する温度操作部と、時間を調節する時間操作部と、温度操作部で設定した温度と時間操作部で設定した時間とを記憶するモード記憶部と、熱源で加熱した温水を吐出する吐出部と、異なる温度の湯水を交互に出湯する運転動作を開始する温冷スイッチと、吐出部からの出湯を開始する出湯スイッチとを備え、吐出部からの出湯を開始し、温冷スイッチを操作することによって異なる温度の湯水を交互に出湯する際に、モード記憶部に記憶されている温度と時間に基づいて、吐出部から温水を出湯することにより、異なる温度、時間の湯水が交互に出湯するシャワー浴を行うことができる。
【０００７】
さらに、モード選択スイッチで好みのパターンを記憶させることにより、体調に合わせて記憶させたパターンを選択することができ、シャワー浴を行っている最中の心拍数を低下させ、心臓の負担を軽減して快適性を向上させることができる。
【発明の効果】
【０００８】
本発明は、心臓への負担を軽減し、快適性を向上させ、さらに使用者が、好みのモードを記憶させることのできる使い勝手の良い給湯機を提供することができる。
【図面の簡単な説明】
【０００９】
【図１】本発明の実施の形態１における給湯機の正面外観図
【図２】同実施の形態１における要部外観図
【図３】同実施の形態１における要部外観図
【図４】同実施の形態１における給湯機の構成図
【図５】同実施の形態１における連続浴時の温度センサ３１の検出温度の変化図
【図６】同実施の形態１における温冷浴時の温度センサ３１の検出温度の変化図
【図７】同実施の形態１における心拍数の状態を示した図
【図８】同実施の形態１における心拍数の状態を示した図
【図９】（ａ）同実施の形態１における心拍数の変化図（ｂ）同実施の形態１における心拍数の変化図
【図１０】同実施の形態１におけるα波の含有率を示した図
【図１１】同実施の形態１におけるα波の変化を示した図
【図１２】同実施の形態２における要部外観図
【図１３】同実施の形態３における要部外観図
【図１４】同実施の形態４における要部外観図
【図１５】同実施の形態５における要部外観図
【発明を実施するための形態】
【００１０】
第１の発明の給湯機は、湯水を加熱する熱源と、熱源で加熱した温水の温度を検出する温度検出手段と、熱源から出湯する温度を調節する温度操作部と、時間を調節する時間操作部と、温度操作部で設定した温度と時間操作部で設定した時間とを記憶するモード記憶部と、熱源で加熱した温水を吐出する吐出部と、異なる温度の湯水を交互に出湯する運転動作を開始する温冷スイッチと、吐出部からの出湯を開始する出湯スイッチとを備え、吐出部からの出湯を開始し、温冷スイッチを操作することによって異なる温度の湯水を交互に出湯する際に、モード記憶部に記憶されている温度と時間に基づいて、吐出部から温水を出湯することにより、異なる温度、時間の湯水が交互に出湯するシャワー浴を行うことができる。
【００１１】
さらに、モード選択スイッチで好みのパターンを記憶させることにより、体調に合わせて記憶させたパターンを選択することができ、シャワー浴を行っている最中の心拍数を低下させ、心臓の負担を軽減して快適性を向上させることができる。
【００１２】
第２の発明の給湯機は、特に第１の発明において、モード記憶部は高温側の湯水の温度Ｔｘと、低温側の湯水の温度Ｔｙと、高温側の湯水の時間Ｌａと、低温側の湯水の時間Ｌｂとを記憶することができることにより、使い勝手の良い給湯機を提供することができる。
【００１３】
第３の発明の給湯機は、特に第１または第２の発明において、モード記憶部には、複数のパターンを記憶可能に構成され、それぞれのパターン毎に高温側の湯水の温度Ｔｘと、低温側の湯水の温度Ｔｙと、高温側の湯水の時間Ｌａと、低温側の湯水の時間Ｌｂとを記憶可能に構成したことにより、パターンを複数種類登録しておくことができるので、個人毎に設定や、体調毎に設定などの使い勝手が良くなる給湯機を提供することができる。
【００１４】
以下、本発明の実施の形態について、図面を参照しながら説明する。なお、この実施の形態によって本発明が限定されるものではない。
【００１５】
（実施の形態１）
図１は、実施の形態１における給湯機の外観正面図であり、図２、図３は、は要部詳細図であり、図４は、本実施の形態１における給湯機の構成図である。まず図１〜図４を用いて、本実施の形態１における給湯機の外観構成について説明する。図１に示すように、本実施の形態における給湯機は、外郭を構成する筐体１と、筐体１内の給湯配管１４から外部に湯が出湯する給湯口２と、筐体１内の給水配管１５へ湯水を供給する給水口３とを有している。
【００１６】
そして給湯口２には給湯経路の一部を構成するシャワーホース４が接続され、シャワー
ホース４の端部には吐出部であるシャワーヘッド５を備えており、給湯機の使用時には、シャワーヘッド５から使用者へ向かって湯水が吐出される。
【００１７】
また、給水口３には給水量を調節する流量調節バルブ６が取り付けられ、給水源から入水管７を介して給水口３へ給水される給水量を調節する。通常、給湯機を設置した時に流量調節バルブ６を操作して給水量を設定するが、給湯機の使用時であっても、使用者が流量調節バルブ６を操作することで、給湯機への給水量を設定することができる。
【００１８】
また、筐体１の正面にはシャワーヘッド５からの温水の出湯を開始／停止するための出湯スイッチ８を有しており、給湯機の停止時から使用者が出湯スイッチ８を１度押すと、シャワーヘッド５から温水が吐出し、さらにもう一度出湯スイッチ８を押すと、シャワーヘッド５から吐出中の温水が停止する。
【００１９】
また、高温側の温度と低温側の温度の２つを設定できるようになっている。図２に示すように、操作部５２を操作することによって、表示部５１に温度設定画面を表示する。そして、操作部５２を操作して、高温側の湯水の温度Ｔｘと低温側の湯水の温度Ｔｙとを設定する、及び、高温側の湯水の時間Ｌａと低温側の湯水の時間Ｌｂとを設定する。図２では、高温側の湯水の温度を４２℃に設定し、低温側の湯水の温度を３５℃に設定し、高温側の湯水の時間を６０秒に設定し、低温側の湯水の温度を６０秒に設定している。
【００２０】
さらに、図１および図２に示すように、ＯＮボタン１０ａおよびＯＦＦボタン１０ｂを備えた温冷スイッチ１０を有しており、さらにＯＮボタン１０ａを押した時に点灯する温冷ランプ１１を有している。つまり、温冷スイッチ１０がＯＮになっているときには、温冷ランプ１１が点灯することによって、使用者は温冷スイッチ１０がＯＮになっていることが分かる。
【００２１】
また、図３に示すように、操作部５２を操作することによって、表示部５１に温度、時間設定画面を表示する。そして、操作部５２を操作して、高温側の湯水の温度Ｔｘと低温側の湯水の温度Ｔｙとを設定する、及び、高温側の湯水の時間Ｌａと低温側の湯水の温度Ｌｂとを設定する。図３では、高温側の湯水の温度を３８℃に設定し、低温側の湯水の温度を３０℃に設定し、高温側の湯水の時間を３０秒に設定し、低温側の湯水の時間を３０秒に設定している。そして、メモリースイッチ５３で、表示部５１にメモリーは、Ｍ１と表示され、温度と時間を変更したパターンもＭ２、Ｍ３と複数個、記憶可能である。使用時には、モード選択スイッチ５４を押し、好みのパターンを選択し、温冷スイッチ１０で温冷浴運転動作が開始される。
【００２２】
そして、図４に示すように、筐体１の内部には、湯水を少量貯めるタンク１２と、湯水を加熱する熱源であるヒータ１３が配設されており、タンク１２の内部にヒータ１３を配置している。また、タンク１３で加熱された温水を給湯口２へ導くための給湯配管１４と、給水口３から低温水をタンク１３へ導くための給水配管１５とを有している。給水配管１５はタンクの底部に接続され、給湯配管１４の端部はタンク１２内に埋設され、タンク１２の上部の温水が供給されるようになっている。
【００２３】
そして、給水配管１５には供給される水量を検出するための流量検出手段である流量センサ１６と、給水配管１５の水流路の開閉を行う止水栓１７が設けられており、止水栓１７が開くとタンク１２へ給水され、止水栓１７が閉じるとタンク１２への給水が停止する。さらに、流量調節バルブ６を操作することによって給水口３へ供給される湯水の流量を調節する流量調節弁２３を筐体１の外部に設けている。
【００２４】
また、ヒータ１３で加熱した湯の温度を検出する温度検出手段である温度センサ３１を
備えている。そして通常のシャワー浴時には、使用者は操作部５２を操作することによって温度Ｔｘ（高温側）を設定し、温度センサ３１で検出する温度が設定した温度Ｔｘとなるようにヒータ１３の出力が調節される。また、温度センサ３１はタンク１２内に配設され、給湯配管１４に供給する湯水の温度を検出している。
【００２５】
さらに、ヒータ１３の制御を行うために電子部品等で構成される電源制御装置１８が設けられ、電源制御装置１８はヒータ通電制御素子１９を介してヒータ１３の電力制御を行っている。また、操作部５２によって決定された高温側の湯水の温度Ｔｘになる様、ヒータ１３の出力制御を行う電子部品等で構成される熱源制御装置２０、温冷スイッチ１０からの支持を受けてヒータ１３の制御を行う電子部品等で構成される温冷水制御装置２１が設けられている。
【００２６】
また、外部電源から各構成部品への電源供給を行う電源スイッチ２２が設けられており、出湯スイッチ８を操作することによって電源スイッチ２２のＯＮ・ＯＦＦを行う。なお、本実施の形態では、電源制御装置１８、熱源制御装置２０、温冷水制御装置２１と３つの制御装置を設けて説明するが、これらが一体的に構成された制御装置であっても問題はない。また、それぞれの制御装置はマイクロコンピュータおよびその周辺を構成する電子部品で構成されていてもよい。
【００２７】
以上のように構成された給湯機について、以下、その動作・作用について説明する。
【００２８】
本実施の形態の給湯機を使用する場合、まず、出湯スイッチ８を一度押す。出湯スイッチ８が押されると、止水栓１７が開栓するとともに、電源スイッチ２２がオンして各構成部品への電源供給が開始する。そして、止水栓１７が開栓した結果、給水口３へ給水が開始され、流量センサ１６で給水流量を検知し、流量センサ１６で所定流量（例えば、毎分１Ｌ）を検知すると、ヒータ通電制御素子（例えば、トライアック）１９を介して電源制御装置１８がヒータ１３の電力制御を行う。
【００２９】
まず、温冷ランプ１１が消灯しているときの連続浴時のシャワー浴について説明する。図５は、シャワーヘッド５から出湯しているときの、温度センサ３１で検出する温度の変化を示した図である。図５に示すように、温冷ランプ１１が消灯しているときの通常のシャワー浴では、温度センサ３１で検出する温度が、操作部５２で設定した温度Ｔｘとなるように、ヒータ１３の出力が制御されている。
【００３０】
まず、使用者は、出湯スイッチ８を押してシャワーヘッド５からの温水の吐出を開始する。この時、電源スイッチ２２もＯＮとなり、各制御装置等に電源が供給される。そして、流量センサ１６で所定流量を検出すると、ヒータ１３への通電を開始してタンク１２内の湯水を温め始める。なお、本実施の形態では、流量センサで毎分１Ｌの流量を検出すると、ヒータ１３への通電を開始しているが、所定流量はこれに限定されることはない。
【００３１】
そして使用者は、操作部５２を操作して高温側の湯水の温度Ｔｘを設定する。その結果、図５に示すように、出湯スイッチ８を押してシャワーヘッド５からの出湯を開始しても、温冷スイッチ１０がＯＦＦしている時は、温度センサ３１で検出する温度が、操作部５２で設定された高温側の湯水の温度Ｔｘとなるようにヒータ１３の出力が調節される。
【００３２】
そして、再度、使用者が出湯スイッチ８を押してシャワーヘッド５からの出湯を停止すると、ヒータ１３からの出力も停止し、使用者はシャワー浴を終了する。
【００３３】
次に、温冷ランプ１１が点灯しているときの温冷浴時のシャワー浴について説明する。
【００３４】
図５は、本実施の形態の給湯機の要部外観図である。図５に示すように、操作部５２を操作することによって、表示部５１に時間設定画面を表示する。そして、操作部５２を操作して、高温側の湯水の出湯時間Ｌａと低温側の湯水の出湯時間Ｌｂとを設定する。図５では、高温側の湯水の出湯時間を３０秒に設定し、低温側の湯水の出湯時間を３０秒に設定している。このように両方を設定することができるため、使用者の好みに合わせて出湯時間を設定でき、多種多様な要求に使用を合わせることができる。なお、本実施の形態では高温側の湯水の出湯時間Ｌａと、低温側の湯水の出湯時間Ｌｂとを設定可能に構成したが、これに限定されることは無く、予め設けた所定の時間ごとに高温と低温とを繰り返す構成でもよい。
【００３５】
まず、出湯スイッチ８を押して、シャワーヘッド５からの出湯を開始する。そして、操作部５２を操作することによって、高温側の湯水の温度Ｔｘおよび低温側の湯水の温度Ｔｙを設定し、さらに、高温側の湯水の出湯時間Ｌａと低温側の湯水の出湯時間Ｌｂとを設定する。温冷スイッチ１０のＯＮボタン１０ａを押す前は、シャワーヘッド５からは、設定温度Ｔｘの湯水が出湯されている。本実施の形態では、高温側の湯水の温度Ｔｘを４２℃に設定し、低温側の湯水の温度を３５℃に設定し、出湯時間ＬａおよびＬｂをそれぞれ３０秒としている。
【００３６】
次に、温冷スイッチ１０のＯＮボタン１０ａを押す。ＯＮボタン１０ａを押すと、温冷浴モードに移行し、温冷ランプ１１が点灯する。そして温冷水制御装置２１は、ＯＮボタン１０ａが押されてから所定時間をカウントし始め、ＯＮボタン１０ａが押されてから第１の所定時間である所定時間Ｌａの間は、温度センサ３１で検出される温度が設定温度Ｔｘとなるように、ヒータ１３の出力が調節される。
【００３７】
図６は、温冷浴運転時の温度センサ３１の検出温度の変化を示した図である。そして、所定時間Ｌａが経過すると、温度センサ３１で検出される温度が設定温度Ｔｙとなるように、ヒータ１３の出力が調節される。そしてヒータ１３の出力を変更してから、温冷制御装置２１は所定時間をカウントし始め、所定時間Ｌｂが経過するまでは、設定温度Ｔｙとなるようにヒータ１３の出力が調節される。そして、所定時間Ｌｂが経過すると、再度、温度センサ３１で検出される温度が設定温度Ｔｘとなるようにヒータ１３の出力が調節され、所定時間Ｌａをカウント始め、それ以降は上記動作を繰り返す。
【００３８】
図７は、温冷スイッチ１０をＯＦＦしている時の連続浴と、温冷スイッチ１０をＯＮしている時の温冷浴のそれぞれの心拍数の状態を示した図である。図７で示す実験では、１０分間のシャワー浴を行い、シャワー浴中の心拍数の測定を行った。なお、図７に示す折れ線グラフＰは連続浴（温冷スイッチ１０がＯＦＦ）時の心拍数の変化を示し、折れ線グラフＱは温冷浴（温冷スイッチ１０がＯＮ）時の心拍数の変化を示している。
【００３９】
そして連続浴時には、シャワーの温度は３８℃とし１０分間シャワー浴を行い、温冷浴時には、シャワーの高温側の温度は３８℃、低温側の温度は２５℃として、３０秒間隔で３８℃の湯水と２５℃の湯水を交互にシャワーヘッド５から出湯させて１０分間シャワー浴を行った。その結果、連続浴時の平均心拍数は９２ｂｐｍであったのに対し、温冷浴時の平均心拍数は８０ｂｐｍであった。
【００４０】
また、図８は、温冷スイッチ１０をＯＦＦにしている時の連続浴と、温冷スイッチ１０をＯＮにしている時の温冷浴のそれぞれの心拍数の状態を示した図である。また、図９（ａ）（ｂ）は連続浴時および温冷浴モード時の平均心拍数を示した図である。図８および図９に示す実験では、温冷スイッチ１０がＯＦＦの時と、ＯＮの時の健康な男性による心拍数の変化を測定した。具体的には、始めに５分間の運動を行い、その後、１分間の休憩を挟んで、１０分間のシャワー浴を行うという一連の行動について心拍数の測定を行った
。なお、図６に示す折れ線グラフＸは連続浴時の心拍数の変化を示し、折れ線グラフＹは温冷浴時の心拍数の変化を示している。
【００４１】
図８、図９（ａ）（ｂ）に示すように、連続浴および温冷浴ともに運動時の平均心拍数は、１４０ｂｐｍであった。そして、運動後、１分間の休憩の後、１０分間のシャワー浴を行った。その結果、温冷スイッチ１０がＯＦＦの時の連続浴時（シャワー温度は３８℃）は、平均心拍数が１１５ｂｐｍであったのに対して、温冷スイッチ１０がＯＮの時の温冷浴モード時は、平均心拍数９８となり、連続浴時に比べて心拍数が低下していることが分かる。なお、温冷浴モード時の高温側の温度は３８℃、低温側の温度は２５℃、所定時間αは３０秒として心拍数の測定をおこなっている。
【００４２】
このように、本実施の形態では、ヒータ１３への通電を所定時間毎にＯＮ／ＯＦＦすることによって、使用者は、高温水と低温水とを交互に定期的に浴びることができ、非常に健康に良い。また、図７〜図９に示すように、温冷浴を行うことによって、平均心拍数を下げることができるため、使用者の心臓の負担を軽減し、快適なシャワー浴を行うことができ、心拍数が低いということは疲労回復にも効果がある。
【００４３】
また、本実施の形態では、ヒータ１３の出力を、所定時間Ｌａおよび所定時間Ｌｂ毎に切り替えるため、使用者は、高温水と低温水とを交互に定期的に浴びることができ、非常に健康に良い。また、温冷浴を行うことによって、平均心拍数を下げることができるため、使用者の心臓の負担を軽減し、快適なシャワー浴を行うことができる。
【００４４】
また、所定時間毎にヒータ１３の出力を変更するので、消費電力を削減することができ、ヒータ１３への通電を停止した時間分だけ消費電力を削減することができる。
【００４５】
さらに、高温側の湯水の出湯時間Ｌａと低温側の湯水の出湯時間Ｌｂとを使用者の好みに合わせて設定することができるので、使用性を向上させることができる。
【００４６】
また、図１０および図１１は、連続浴時と温冷浴時のα波値を示した図である。α波とは、脳波測定結果を周波数分析し８〜１３Ｈｚの周波数の脳波のことを言う。一般的に、快適と感じているときにα波が多く出る傾向にある。
【００４７】
図１０および図１１を見てみると、連続浴のシャワーを浴びる前のα波の含有率が４２．８８％であるのに対して、連続浴のシャワーを浴びた後のα波の含有率は４０．５２％であった。一方、温冷浴のシャワーを浴びる前のα波の含有率が４６．９４％であるのに対して、温冷浴のシャワーを浴びた後のα波の含有率は５６．７５％であった。このように温冷浴のシャワーを浴びた時には顕著にα波が増加していることが分かり、使用者がリラックス状態であることが分かる。
【００４８】
なお、本実施の形態では、低温側の設定温度Ｔｙを設定可能に構成したが、これに限定されず、低温側の設定温度を、ヒータ１３の出力をゼロとした加熱する前の湯水の温度としてもよい。
【００４９】
（実施の形態２）
本実施の形態２では、モード記憶部は、高温側の湯水の温度Ｔｘ及び低温側の湯水の温度Ｔｙと、高温側の湯水の時間Ｌａと、低温側の湯水の時間Ｌｂとを設定することができる。そして、モード選択スイッチで好みのパターンを選択し、温冷スイッチを入れて温冷浴運転動作を開始し、一定時間（Ｔ１）の温冷浴運転することができる、また、実施の形態１と同じ部位については、実施の形態１と同じ符号を付して、その説明を省略する。
【００５０】
図１２は、実施の形態２における給湯機の要部外観図である。図１２に示すように、操作部５２を操作することによって、表示部５１に使用者が入力した温冷シャワーの温度、時間を設定が表示される。
【００５１】
実施の形態１では、表示装置には、モード選択スイッチであらかじめ設定しているパターンが表示され、選択した後、温冷スイッチを入れると温冷浴運転動作を開始するが、高温側の湯水の温度Ｔｘ及び低温側の湯水の温度Ｔｙと、高温側の湯水の時間Ｌａと、低温側の湯水の時間Ｌｂとを自在に設定することが可能で、使い勝手の良い給湯機を提供することができる。
【００５２】
（実施の形態３）
本実施の形態３では、モード記憶部は、高温側の湯水の温度Ｔｘ及び低温側の湯水の温度Ｔｙと、高温側の湯水の時間Ｌａと、低温側の湯水の時間Ｌｂとを自在に設定が可能で、且つ、一定時間（Ｔ１）の温冷浴運転合計時間を自在に設定が可能で、モード選択スイッチで好みのパターンを選択し、温冷スイッチを入れて温冷浴運転動作を開始し、一定時間（Ｔ１）の温冷浴運転することができる、また、実施の形態１と同じ部位については、実施の形態１と同じ符号を付して、その説明を省略する。
【００５３】
図１３は、実施の形態３における給湯機の要部外観図である。図１３に示すように、操作部５２を操作することによって、表示部５１に使用者が入力した温冷シャワーの温冷浴運転合計時間が表示される。
【００５４】
実施の形態１では、表示装置には、モード選択スイッチであらかじめ設定しているパターンが表示され、選択した後、温冷スイッチを入れると温冷浴運転動作を開始するが、高温側の湯水の温度Ｔｘ及び低温側の湯水の温度Ｔｙと、高温側の湯水の時間Ｌａと、低温側の湯水の時間Ｌｂとを自在に設定することが可能で、使い勝手の良い給湯機を提供することができる。
【００５５】
（実施の形態４）
図１４は、本実施の形態４では、モード記憶部は、高温側の湯水の温度Ｔｘ及び低温側の湯水の温度Ｔｙと、高温側の湯水の時間Ｌａと、低温側の湯水の時間Ｌｂとを自在に設定が可能で、且つ、高温側の湯水の温度Ｔｘ及び低温側の湯水の温度Ｔｙと、高温側の湯水の時間Ｌａと、低温側の湯水の時間Ｌｂとをサイクル毎に自在に設定が可能で、一定時間（Ｔ１）の温冷浴運転合計時間を自在に設定が可能で、モード選択スイッチで好みのパターンを選択し、温冷スイッチを入れて温冷浴運転動作を開始し、一定時間の（Ｔ１）温冷浴運転することができる、また、実施の形態１と同じ部位については、実施の形態１と同じ符号を付して、その説明を省略する。
【００５６】
図１４は、実施の形態４における給湯機の要部外観図である。図１４に示すように、操作部５２を操作することによって、表示部５１に使用者が入力した温冷シャワーのサイクル毎の温度、時間が表示される。
【００５７】
実施の形態１では、表示装置には、モード選択スイッチであらかじめ設定しているパターンが表示され、選択した後、温冷スイッチを入れると温冷浴運転動作を開始するが、高温側の湯水の温度Ｔｘ及び低温側の湯水の温度Ｔｙと、高温側の湯水の時間Ｌａと、低温側の湯水の時間Ｌｂとをサイクル毎に自在に設定することが可能で、一定時間（Ｔ１）の温冷浴運転合計時間を自在に設定が可能で、使い勝手の良い給湯機を提供することができる。
（実施の形態５）
本実施の形態５では、モード記憶部は、高温側の湯水の温度Ｔｘ及び低温側の湯水の温
度Ｔｙと、高温側の湯水の時間Ｌａと、低温側の湯水の時間Ｌｂとを自在に設定が可能でき、且つ、高温側の湯水の温度Ｔｘ及び低温側の湯水の温度Ｔｙと、高温側の湯水の時間Ｌａと、低温側の湯水の時間Ｌｂとをサイクル毎に自在に設定が可能でき、一定時間（Ｔ１）の温冷浴運転合計時間を自在に設定が可能で、モード選択スイッチで好みのパターンを選択し、温冷スイッチを入れて温冷浴運転動作を開始し、前記、温冷浴運転合計時間を一定のサイクル回数で、温冷浴運転することができる、また、実施の形態１と同じ部位については、実施の形態１と同じ符号を付して、その説明を省略する。
【００５８】
図１５は、実施の形態５における給湯機の要部外観図である。図１５に示すように、操作部５２を操作することによって、表示部５１に使用者が入力した温冷シャワーの温冷浴運転合計サイクルが表示される。
【００５９】
実施の形態１では、表示装置には、モード選択スイッチであらかじめ設定しているパターンが表示され、選択した後、温冷スイッチを入れると温冷浴運転動作を開始するが、高温側の湯水の温度Ｔｘ及び低温側の湯水の温度Ｔｙと、高温側の湯水の時間Ｌａと、低温側の湯水の時間Ｌｂとを自在に設定することが可能で、且つ、高温側の湯水の温度Ｔｘ及び低温側の湯水の温度Ｔｙと、高温側の湯水の時間Ｌａと、低温側の湯水の時間Ｌｂとをサイクル毎に自在に設定が可能で、前記、温冷浴運転合計時間を一定のサイクル回数で温冷浴運転することができる。
【産業上の利用可能性】
【００６０】
以上のように、本発明の給湯機は、使用者がシャワー浴を行う時に、通常のシャワー浴に加えて、異なる温度の湯水を交互に出湯することによって、心臓への負担を低減し、疲労回復および健康増進を図ることができ、さらには通常のシャワー浴に比べて、消費電力を低減し、好みのパターンを記憶させることができるので、体調に合わせて、モードを選択でき、環境に配慮した給湯機であり、かつ使用者に健康を意識して使用してもらうことができる。実施の形態では熱源にヒータを使用した給湯機について説明したが、熱源がヒートポンプやガスなどの熱源であっても、本発明を適用することができる。
【符号の説明】
【００６１】
１  筐体
２  給湯口
３  給水口
４  シャワーホース
５  シャワーヘッド
６  流量調節バルブ
７  入水管
８  出湯スイッチ
１０  温冷スイッチ
１０ａ  ＯＮボタン
１０ｂ  ＯＦＦボタン
１１  温冷ランプ
１２  タンク
１３  ヒータ
１４  給湯配管
１５  給水配管
１６  流量センサ
１７  止水栓
１８  電源制御装置
１９  ヒータ通電制御素子
２０  熱源制御装置
２１  温冷水制御装置
２２  電源スイッチ
３０  温度ボリューム
３１  温度センサ
３２  温度センサ（入水温度検出手段）
３３  流量センサ（リニア検出）
５１  表示部
５２  操作部
５３  メモリースイッチ
５４  モード選択スイッチ
【図１】
2011208898.tif 000003
【図２】
2011208898.tif 000004
【図３】
2011208898.tif 000005
【図４】
2011208898.tif 000006
【図５】
2011208898.tif 000007
【図６】
2011208898.tif 000008
【図７】
2011208898.tif 000009
【図８】
2011208898.tif 000010
【図９】
2011208898.tif 000011
【図１０】
2011208898.tif 000012
【図１１】
2011208898.tif 000013
【図１２】
2011208898.tif 000014
【図１３】
2011208898.tif 000015
【図１４】
2011208898.tif 000016
【図１５】
2011208898.tif 000017